(57)【要約】【課題】供給管路の洗浄を簡素化することができる医療用装置、媒体導管セットおよび連結部材を提供する。【解決手段】医療用装置１００は、診療装置本体１０と、媒体導管２０と、連結部材９０とを備えている。媒体導管２０は、外装２０ａと、外装２０ａの内部に配置され、かつ診療装置本体１０から連結部材９０に媒体を供給する供給管路２０ｂと、外装２０ａの内部に配置され、かつ媒体導管２０から診療装置本体１０に媒体を排出する排出管路２０ｃとを含んでいる。連結部材９０は、供給管路２０ｂと排出管路２０ｃとを接続する連通路９０ａを含んでいる。【選択図】図８
2018000737.tif 000002
【特許請求の範囲】
【請求項１】
診療装置本体と、
前記診療装置本体に接続された可撓性の媒体導管と、
前記媒体導管に接続され、かつ前記診療装置本体に前記媒体導管を経由して接続された連結部材とを備え、
前記媒体導管は、
外装と、
前記外装の内部に配置され、かつ前記診療装置本体から前記連結部材に媒体を供給する供給管路と、
前記外装の内部に配置され、かつ前記媒体導管から前記診療装置本体に前記媒体を排出する排出管路とを含み、
前記連結部材は、前記供給管路と前記排出管路とを接続する連通路を含む、医療用装置。
【請求項２】
前記媒体は水であり、
前記供給管路は、前記診療装置本体から前記連結部材に前記水を供給する給水管路である、請求項１に記載の医療用装置。
【請求項３】
前記媒体は水であり、
前記排出管路は、前記媒体導管から前記診療装置本体に前記水を排出する排水管路である、請求項１に記載の医療用装置。
【請求項４】
前記診療装置本体は、
前記排出管路から排出された前記媒体を貯留する洗浄タンクと、
前記洗浄タンクに接続されたバキュームタンクとを含み、
前記洗浄タンクに貯留された前記媒体が、前記バキュームタンクに流れるように構成されている、請求項１〜３のいずれか１項に記載の医療用装置。
【請求項５】
診療装置本体を可撓性の媒体導管を経由して診療用ハンドピースに接続可能な医療用装置であって、
前記診療装置本体と、
前記診療装置本体に接続された可撓性の媒体導管と、
前記媒体導管に接続され、かつ前記診療装置本体に前記媒体導管を経由して接続された連結部材とを備え、
前記媒体導管は、
外装と、
前記外装の内部に配置され、かつ前記診療装置本体から前記連結部材に媒体を供給する供給管路と、
前記外装の内部に配置され、かつ前記診療装置本体から前記診療用ハンドピースにエアーを給気する給気管路、または、前記外装の内部に配置され、かつ前記診療用ハンドピースから前記診療装置本体にエアーを排気する排気管路とを含み、
前記連結部材は、前記供給管路と、前記給気管路および前記排気管路のいずれかとを接続する連通路を含む、医療用装置。
【請求項６】
診療装置本体と、
前記診療装置本体に接続された可撓性の第１および第２の媒体導管と、
前記第１および第２の媒体導管の各々を互いに接続し、かつ前記診療装置本体に前記第１および第２の媒体導管を経由して接続された連結部材とを備え、
前記第１および第２の媒体導管の各々は、
外装と、
前記外装の内部に配置され、かつ前記診療装置本体から前記連結部材に媒体を供給する供給管路と、
前記外装の内部に配置され、前記媒体導管から前記診療装置本体に前記媒体を排出する排出管路とを含み、
前記連結部材は、前記第１の媒体導管の前記供給管路と前記排出管路とを接続する第１の連通路と、前記第２の媒体導管の前記供給管路と前記排出管路とを接続する第２の連通路を含む、医療用装置。
【請求項７】
診療装置本体に着脱自在に接続可能な媒体導管セットであって、
前記診療装置本体に着脱自在に接続可能な可撓性の媒体導管と、
前記媒体導管に接続された連結部材とを備え、
前記媒体導管は、
外装と、
前記外装の内部に配置され、かつ前記診療装置本体から前記連結部材に媒体を供給するための供給管路と、
前記外装の内部に配置され、かつ前記媒体導管から前記診療装置本体に前記媒体を排出するための排出管路とを含み、
前記連結部材は、前記供給管路と前記排出管路とを接続する連通路を含む、媒体導管セット。
【請求項８】
診療装置本体に可撓性の媒体導管を経由して接続可能な連結部材であって、
前記媒体導管は、前記診療装置本体に着脱自在に接続可能であり、かつ
外装と、
前記外装の内部に配置され、かつ前記診療装置本体から前記連結部材に媒体を供給する供給管路と、
前記外装の内部に配置され、前記媒体導管から前記診療装置本体に前記媒体を排出する排出管路とを含み、
前記連結部材は、前記供給管路と前記排出管路とを接続する連通路を含む、連結部材。
【発明の詳細な説明】
【技術分野】
【０００１】
本発明は、医療用装置、媒体導管セットおよび連結部材に関するものである。
【背景技術】
【０００２】
医療用装置の一例としての歯科用診療装置は、診療装置本体と、診療用ハンドピースとを備えている。診療用ハンドピースの使用時には、診療装置本体から診療用ハンドピースに給水管路を経由して水が供給される。診療用ハンドピースの使用後には、給水管路内に水が残留する。休暇等で給水管路内に水が長時間にわたって残留すると、給水管路内に雑菌が増殖することがある。そのため、診療用ハンドピースの使用に先立って、給水管路内に残留した水を排水して新しい水を給水管路に流して給水管路内を洗浄することが求められる。
【０００３】
たとえば、特許第４３４８０７５号公報（特許文献１）には、減菌剤を添加された処置液を供給管路（給水管路）に流して供給管路を洗浄する歯科用診療装置が記載されている。
【先行技術文献】
【特許文献】
【０００４】
【特許文献１】特許第４３４８０７５号公報
【発明の概要】
【発明が解決しようとする課題】
【０００５】
上記公報に記載された歯科用診療装置では薬液を使用して供給管路を洗浄しているため、薬液の調整等のために手間がかかるという問題がある。
【０００６】
本発明は、上記課題に鑑みてなされたものであり、その目的は、供給管路の洗浄を簡素化することができる医療用装置、媒体導管セットおよび連結部材を提供することである。
【課題を解決するための手段】
【０００７】
本発明の医療用装置は、診療装置本体と、診療装置本体に接続された可撓性の媒体導管と、媒体導管に接続され、かつ診療装置本体に媒体導管を経由して接続された連結部材とを備えている。媒体導管は、外装と、外装の内部に配置され、かつ診療装置本体から連結部材に媒体を供給する供給管路と、外装の内部に配置され、かつ媒体導管から診療装置本体に媒体を排出する排出管路とを含んでいる。連結部材は、供給管路と排出管路とを接続する連通路を含んでいる。
【発明の効果】
【０００８】
本発明の医療用装置によれば、連結部材は供給管路と排出管路とを接続する連通路を含んでいるため、供給管路から連通路を経由して排出管路に媒体を流すことができる。これにより供給管路を洗浄することができるため、供給管路の洗浄を簡素化することができる。また、連結部材は媒体導管に接続されているため、媒体導管の供給管路を全長に渡って洗浄することができる。
【図面の簡単な説明】
【０００９】
【図１】本発明の一実施の形態における医療用装置の構成を概略的に示す斜視図である。
【図２】図１に示すトレーテーブルと、媒体導管と、診療用ハンドピースとを概略的に示す斜視図である。
【図３】図２のＩＩＩ−ＩＩＩ線に沿う断面斜視図である。
【図４】本発明の一実施の形態における医療用装置の管路構成を概略的に示す図である。
【図５】本発明の一実施の形態における医療用装置の制御ブロック図である。
【図６】本発明の一実施の形態における医療用装置のトレーテーブルと、媒体導管と、連結部材とを概略的に示す斜視図である。
【図７】本発明の一実施の形態における医療用装置の媒体導管に連結部材が取り付けられた構成を概略的に示す断面図である。
【図８】本発明の一実施の形態における医療用装置の媒体導管に連結部材が取り付けられた管路構成を概略的に示す図である。
【図９】本発明の一実施の形態における医療用装置の洗浄方法のタイミングチャート図である。
【図１０】本発明の一実施の形態における医療用装置の洗浄方法のフローチャート図である。
【図１１】本発明の一実施の形態における医療用装置の別の洗浄方法のフローチャート図である。
【図１２】本発明の一実施の形態における医療用装置の変形例１の管路構成を概略的に示す図である。
【図１３】本発明の一実施の形態における医療用装置の変形例１の媒体導管に連結部材が取り付けられた構成を概略的に示す断面図である。
【図１４】本発明の一実施の形態における医療用装置の変形例１の媒体導管に連結部材が取り付けられた管路構成を概略的に示す図である。
【図１５】本発明の一実施の形態における医療用装置の変形例２の管路構成を概略的に示す図である。
【図１６】本発明の一実施の形態における医療用装置の変形例２の媒体導管に連結部材が取り付けられた構成を概略的に示す断面図である。
【図１７】本発明の一実施の形態における医療用装置の変形例２の媒体導管に連結部材が取り付けられた管路構成を概略的に示す図である。
【図１８】本発明の一実施の形態における医療用装置の変形例３の媒体導管に連結部材が取り付けられた管路構成を概略的に示す図である。
【発明を実施するための形態】
【００１０】
以下、本発明の実施の形態について図に基づいて説明する。
まず、本発明の一実施の形態における医療用装置の構成について説明する。本実施の形態では医療用装置の一例として歯科用診療装置について説明する。図１〜図５を参照して、診療装置本体１０に接続された媒体導管２０に診療用ハンドピース３０が取り付けられる場合について説明する。
【００１１】
図１を参照して、本実施の形態に係る医療用装置１００は、診療装置本体１０と、媒体導管２０と、診療用ハンドピース３０とを備えている。媒体導管２０と、診療用ハンドピース３０とは媒体導管セットを構成している。媒体導管セットは診療装置本体１０に着脱自在に接続可能に構成されている。
【００１２】
診療装置本体１０は、診療台１と、スピットン２と、照明装置３と、照明装置用アーム４と、トレーテーブル５と、トレーテーブル用アーム６を備えている。診療台１は、患者が着座または仰臥した状態で診療を受けることができるように構成されている。診療台１は、基台１ａと、座板１ｂと、背板１ｃと、ヘッドレスト１ｄと、アームレスト１ｅとを備えている。座板１ｂは基台１ａ上に昇降自在に設置されている。背板１ｃは座板１ｂの一端に起伏自在に取り付けられている。ヘッドレスト１ｄは背板１ｃの上端に傾動自在に取り付けられている。アームレスト１ｅは座板１ｂの側方に設置されている。
【００１３】
スピットン２は診療台１の側方に設置されている。スピットン２は、胴部２ａと、ベースン２ｂと、コップ給水栓（コップ給水部）２ｃとを備えている。胴部２ａの上端にベースン２ｂが設置されている。ベースン２ｂにコップ給水栓２ｃが設置されている。照明装置３は、照明装置用アーム４を介してスピットン２に接続されている。照明装置３はたとえば無影灯である。
【００１４】
トレーテーブル５は、トレーテーブル用アーム６を介して基台１ａに接続されている。トレーテーブル５は、診療器具、薬品および診療用ハンドピース（インスツルメント）３０を置いたり、保持したりするために使用される。また、トレーテーブル５は、診療台１および診療用ハンドピース３０などの操作を設定するための操作設定部５ａを備えている。
【００１５】
図１および図２を参照して、媒体導管２０は、診療装置本体１０から電気、エアー、水等の作用媒体を診療用ハンドピース３０に供給するように構成されている。図２においては、見やすくするため、媒体導管２０および診療用ハンドピース３０は１つずつ図示されている。また、図２においては、説明の便宜のため、媒体導管２０から診療用ハンドピース３０が取り外された状態が図示されている。
【００１６】
媒体導管２０は、診療装置本体１０と、診療用ハンドピース３０とに接続されている。具体的には、複数の媒体導管２０の一部をなすアシスタント側ハンドピースホルダ２ｄにはスピットン２と診療用ハンドピース３０とを接続し、複数の媒体導管２０の他部をなすドクター側ハンドピースホルダ５ｂはトレーテーブル５の下部に配置され、トレーテーブル５と診療用ハンドピース３０とを接続している。また、媒体導管２０は、可撓性を有している。媒体導管２０は先端に診療用ハンドピース３０に係合するための係合部２０Ｘを備えている。図２中矢印で示されるように、係合部２０Ｘは診療用ハンドピース３０の一端から診療用ハンドピース３０の内部に挿入されている。このようにして、媒体導管２０は診療用ハンドピース３０に着脱自在に接続されている。
【００１７】
図２および図３を参照して、エアタービンハンドピースを例として説明する。媒体導管２０は、外装２０ａと、水を供給する供給管路２０ｂと、水を排出する排出管路２０ｃと、駆動用エアーを供給する給気管路２０ｄと、駆動用エアーを排気する排気管路２０ｆを含んでいる。外装２０ａは管形状を有している。外装２０ａの内部に供給管路２０ｂ、給気管路２０ｄ、排気管路２０ｆおよび排出管路２０ｃが配置されている。供給管路２０ｂ、給気管路２０ｄ、排気管路２０ｆ、および排出管路２０ｃは外装２０ａの内部において並んで配置されている。外装２０ａの材質はたとえばシリコーンである。供給管路２０ｂ、給気管路２０ｄ、排気管路２０ｆおよび排出管路２０ｃの各々は、たとえば２層構造であり、この２層構造の内側層の材質はフッ素樹脂であり、外側層の材質はウレタンである。供給管路２０ｂは、診療装置本体１０から診療用ハンドピース３０に水を供給するように構成されている。つまり、供給管路２０ｂは、診療装置本体１０から診療用ハンドピース３０に水を供給する給水管路である。排出管路２０ｃは、媒体導管２０から診療装置本体１０に水を排出するように構成されている。つまり、排出管路２０ｃは、媒体導管２０から診療装置本体１０に水を排出する排水管路である。給気管路２０ｄは、診療用ハンドピース３０に駆動用エアーを供給する給気管路である。なお、エアタービンハンドピースにおいては、駆動用エアーを供給する給気管路や駆動用エアーを排気する排気管路を設けることが必須であるが、マイクロモータハンドピースや、超音波スケーラ等においては、排気管路は必要ではない。
【００１８】
図１および図２を参照して、診療用ハンドピース３０は、歯科診療用のインスツルメントである。診療用ハンドピース３０は複数のハンドピースを含んでいてもよい。診療用ハンドピース３０は、たとえば第１エアタービンハンドピース（ハイスピードハンドピース）３１、第２エアタービンハンドピース（ハイスピードハンドピース）３２、マイクロモーターハンドピース（ロースピードハンドピース）３３、スリーウェイシリンジ３４等である。診療用ハンドピース３０は、トレーテーブル５に設けられたドクター側ハンドピースホルダ５ｂおよびスピットン胴部２ａに設けられたアシスタント側ハンドピースホルダ２ｄに係止されるように構成されている。
【００１９】
次に、図４および図５を参照して、本実施の形態に係る医療用装置１００の管路構成について説明する。なお、図４では、図が複雑になることを避けるために、第１エアタービンハンドピース３１および第２エアタービンハンドピース３２の排気管路２０ｆは省略されている。
【００２０】
診療装置本体１０は、供給用開閉弁４０ａと、排出用開閉弁４０ｂと、主管路フラッシング電磁弁４０ｃと、給水用管路５０（供給管路２０ｂに相当）と、エアー供給管路６０（給気管路２０ｄに相当）と、排水用管路７０（排出管路２０ｃに相当）と、洗浄装置１１０と、流量計１２０と、洗浄タンク１３０と、排水部１４０と、バキュームタンク１５０と、制御部１６０と、水質監視用検出器１７０とを備えている。
【００２１】
供給用開閉弁４０ａ、排出用開閉弁４０ｂおよび主管路フラッシング電磁弁４０ｃはそれぞれ電磁弁であってもよい。供給用開閉弁４０ａは診療装置本体１０内の水元（水道水）５０ａから診療用ハンドピース３０に繋がる主給水管路（媒体供給部）５１と媒体導管２０の水を供給する供給管路２０ｂとの間に配置されている。排出用開閉弁４０ｂは、排水部（媒体排出部）１４０と媒体導管２０の水を排出する排出管路２０ｃとの間に配置されている。
【００２２】
給水用管路５０は、主給水管路５１と、第１エアタービンハンドピース３１に給水される第１分岐給水管路５２と、第２エアタービンハンドピース３２に給水される第２分岐給水管路５３と、マイクロモータハンドピース３３に給水される第３分岐給水管路５４と、スリーウェイシリンジ３４に給水される第４分岐給水管路５５と、コップ給水栓２ｃに給水する第５分岐給水管路５６とを含んでいる。前記第１分岐給水管路５２、第２分岐給水管路５３、第３分岐給水管路５４、第４分岐給水管路５５および第５分岐給水管路５６はそれぞれ主給水管路５１から分岐している。
【００２３】
主給水管路５１は、診療用の水の水元（水道水）５０ａに接続されている。主給水管路５１には、上流側から順に、手動の元弁５１ａ、給水元電磁弁５１ｂ、除菌フィルタ５１ｃ、流量計１２０およびウォーマータンク５１ｄ等が設けられている。主給水管路（媒体供給部）５１は、媒体導管２０の供給管路２０ｂに水を供給するように構成されている。
【００２４】
主給水管路５１には流量計１２０が取り付けられている。流量計１２０は主給水管路５１を流れる水の流量を計測するためのものである。流量計１２０は、主給水管路５１と洗浄装置１１０との接続部分よりも下流側に配置されている。
【００２５】
また、主給水管路５１には水質監視用検出器１７０が取り付けられている。水質監視用検出器１７０は、診療装置本体１０および水を供給する供給管路２０ｂの少なくともいずれかに滞留する水の水質を監視するための検出器である。したがって、水質監視用検出器１７０は、媒体導管２０の水を排出する排出管路２０ｃにも取り付けられていてもよい。供給用開閉弁４０ａおよび排出用開閉弁４０ｂは、水質監視用検出器１７０の出力に応じて自動的に作動するように構成されていてもよい。
【００２６】
第１エアタービンハンドピース３１の第１分岐排水管路７２と、第２エアタービンハンドピース３２の第２分岐排水管路７３と、マイクロモーターハンドピース３３の第３分岐排水管路７４は、合流して排水用管路７０となり、メインチューブフラッシング電磁弁（排出用開閉弁）４０ｂを経て第１主排水管路７１から洗浄タンク１３０に排水される。スリーウェイシリンジ３４の第２主排水管路７５は、主管路フラッシング電磁弁４０ｃを経て洗浄タンク１３０に排水される。
【００２７】
第１分岐給水管路５２は第１エアタービンハンドピース３１のメインチューブ２１（媒体導管２０）を介して第１エアタービンハンドピース３１に接続されている。つまり、メインチューブ２１は、第１エアタービンハンドピース３１に接続されている。第１エアタービンハンドピース３１のメインチューブ２１の供給管路２０ｂの一端（第１端）は、診療装置本体１０の第１メインチューブ着脱部１０ａ１において第１分岐給水管路５２に接続されている。第１エアタービンハンドピース３１のメインチューブ２１の供給管路２０ｂの他端（第２端）は、第１エアタービンハンドピース３１に接続されている。第１分岐給水管路５２には、第１エアタービン注水電磁弁５２ａ（供給用開閉弁４０ａ）が設けられている。
【００２８】
第１エアタービンハンドピース３１のメインチューブ２１の排出管路２０ｃの一端（第１端）は、診療装置本体１０の第１メインチューブ着脱部１０ａ１において第１分岐排水管路７２に接続されている。第１エアタービンハンドピース３１のメインチューブ２１の排出管路２０ｃの他端（第２端）は、第１エアタービンハンドピース３１に接続されておらず、封止されている。
【００２９】
第２分岐給水管路５３は第２エアタービンハンドピース３２のメインチューブ２２（媒体導管２０）を介して第２エアタービンハンドピース３２に接続されている。つまり、メインチューブ２２は、第２エアタービンハンドピース３２に接続されている。第２エアタービンハンドピース３２のメインチューブ２２の供給管路２０ｂの一端（第１端）は、診療装置本体１０の第２メインチューブ着脱部１０ａ２において第２分岐給水管路５３に接続されている。第２エアタービンハンドピース３２のメインチューブ２２の供給管路２０ｂの他端（第２端）は、第２エアタービンハンドピース３２に接続されている。第２分岐給水管路５３には、第２エアタービン注水電磁弁５３ａ（供給用開閉弁４０ａ）が設けられている。
【００３０】
第２エアタービンハンドピース３２のメインチューブ２２の排出管路２０ｃの一端（第１端）は、診療装置本体１０の第２メインチューブ着脱部１０ａ２において第２分岐排水管路７３に接続されている。第２エアタービンハンドピース３２のメインチューブ２２の排出管路２０ｃの他端（第２端）は第２エアタービンハンドピース３２に接続されておらず、封止されている。
【００３１】
第３分岐給水管路５４はマイクロモーターハンドピース３３のメインチューブ２３（媒体導管２０）を介してマイクロモーターハンドピース３３に接続されている。つまり、メインチューブ２３は、マイクロモータハンドピース３３に接続されている。マイクロモーターハンドピース３３のメインチューブ２３の供給管路２０ｂの一端（第１端）は、診療装置本体１０の第３メインチューブ着脱部１０ａ３において第３分岐給水管路５４に接続されている。マイクロモーターハンドピース３３のメインチューブ２３の供給管路２０ｂの他端（第２端）は、マイクロモーターハンドピース３３に接続されている。第３分岐給水管路５４には、マイクロモーター注水電磁弁５４ａ（供給用開閉弁４０ａ）が設けられている。
【００３２】
マイクロモーターハンドピース３３のメインチューブ２３の排出管路２０ｃの一端（第１端）は、診療装置本体１０の第３メインチューブ着脱部１０ａ３において第３分岐排水管路７４に接続されている。マイクロモーターハンドピース３３のメインチューブ２３の排出管路２０ｃの他端（第２端）は、マイクロモータハンドピース３３に接続されておらず、封止されている。尚、マイクロモーターハンドピース３３では一般的に排出管路２０ｃは、設けられていないが、本発明では管路洗浄のために設ける構成とする。
【００３３】
第４分岐給水管路５５はスリーウェイシリンジ３４のメインチューブ２４（媒体導管２０）を介してスリーウェイシリンジ３４に接続されている。スリーウェイシリンジ３４のメインチューブ２４の供給管路２０ｂの一端（第１端）は、診療装置本体１０の第４メインチューブ着脱部１０ａ４において第４分岐給水管路５５に接続されている。スリーウェイシリンジ３４のメインチューブ２４の供給管路２０ｂの他端（第２端）はスリーウェイシリンジ３４に接続されている。スリーウェイシリンジ３４には、手動開閉弁（給水用操作レバー）３４ｂが備えられ、この手動開閉弁（給水用操作レバー）３４ｂの押圧操作によってこの手動開閉弁（給水用操作レバー）３４ｂが開き、スリーウェイシリンジ３４の先端ノズル部３４ｃから注水される構成である。
【００３４】
スリーウェイシリンジ３４のメインチューブ２４の水を排出する排出管路２０ｃの一端（第１端）は、診療装置本体１０の第４メインチューブ着脱部１０ａ４において第２主排水管路７５に接続されている。スリーウェイシリンジ３４のメインチューブ２４の水を排出する排出管路２０ｃの他端（第２端）は、スリーウェイシリンジ３４のメインチューブ２４の供給管路２０ｂに接続されている。なお、スリーウェイシリンジ３４においては、供給管路２０ｂと排出管路２０ｃの分岐部は、媒体導管２０のスリーウェイシリンジ３４との接続部近傍に配設されることが望ましい。
【００３５】
第１主排水管路７１には、メインチューブフラッシング電磁弁（排出用開閉弁）４０ｂが設けられている。メインチューブフラッシング電磁弁（排出用開閉弁）４０ｂは、第１分岐排水管路７２、第２分岐排水管路７３および第３分岐排水管路７４が第１主排水管路７１に合流する合流部分と、洗浄タンク１３０との間に配置されている。つまり、メインチューブフラッシング電磁弁（排出用開閉弁）４０ｂは、第１分岐排水管路７２、第２分岐排水管路７３および第３分岐排水管路７４が第１主排水管路７１に合流する合流部分よりも下流側に配置されている。
【００３６】
第２主排水管路７５には、主管路フラッシング電磁弁４０ｃが設けられている。第２主排水管路７５は、洗浄タンク（排水容器）１３０に接続されている。洗浄タンク１３０は、第１エアタービンメインチューブ２１、第２エアタービンメインチューブ２２、マイクロモーターメインチューブ２３、スリーウェイシリンジメインチューブ２４のそれぞれの水を排出する排出管路２０ｃから排出された水を貯留するように構成されている。
【００３７】
洗浄タンク１３０と排水部１４０とは接続管路１４１により接続されている。排水部１４０は、媒体導管２０の排出管路２０ｃから水が排出されるように構成されている。洗浄タンク１３０とバキュームタンク１５０とは接続管路１５１により接続されている。本実施の形態の医療用装置１００は、洗浄タンク１３０に貯留された水が洗浄タンク１３０に接続されたバキュームタンク１５０に流れ、バキュームタンク内を洗浄するように構成されている。
【００３８】
第１エアタービンハンドピース３１、第２エアタービンハンドピース３２およびマイクロモーターハンドピース３３の通常の使用時においては、少なくともいずれかのインスツルメントが診療装置本体１０のホルダーから取上げられたことがホルダーに設けられたセンサ（図示せず）により検出され、フートスイッチ（図示せず）の操作がなされると、取り外されたインスツルメントに対応する供給用開閉弁４０ａが開となり、排出用開閉弁４０ｂが閉となって、当該インスツルメントの注水口から注水がなされる。
【００３９】
他方、各診療用ハンドピース３０のフラッシング（洗浄）時においては、少なくともいずれかのインスツルメントに対応する供給用開閉弁４０ａが開となり、排出用開閉弁４０ｂが開となって、媒体導管２０の供給管路２０ｂから排出管路２０ｃおよび排水用管路７０を経由して洗浄タンク１３０に水が排出される。
【００４０】
スリーウェイシリンジ３４に接続される第４分岐給水管路５５には、供給用開閉弁４０ａは設けられていない。スリーウェイシリンジ３４は、グリップ部３４ａに給水用操作レバー３４ｂを備えている。ドクターおよびアシスタントによる給水用操作レバー３４ｂの押圧操作によってスリーウェイシリンジ３４の先端ノズル部３４ｃからの注水がなされ、給水用操作レバー３４ｂの押圧操作がなされない限りスリーウェイシリンジ３４の注水はなされない。したがって、スリーウェイシリンジメインチューブ２４の排出管路２０ｃおよび排水用管路（第２主排水管路）７５が設けられているので媒体導管２０の供給管路２０ｂから排出管路２０ｃおよび排水用管路（第２主排水管路）７５を経由して洗浄タンク１３０に管路内の水が排出される。
【００４１】
また、第５分岐給水管路５６はコップ給水栓２ｃに接続されている。第５分岐給水管路５６には、コップ給水弁５６ａが設けられている。コップ給水弁５６ａはたとえば電磁弁である。コップ給水栓２ｃに設けられたセンサ（図示せず）によりコップ給水栓２ｃの下のコップ（図示せず）の存在が検出されると、コップ給水弁５６ａが開となって、コップ給水栓２ｃからコップに給水がなされる。
【００４２】
エアー供給管路６０は、主エアー供給管路６１と、第１分岐エアー供給管路６２と、第２分岐エアー供給管路６３と、第３分岐エアー供給管路６４と、第４分岐エアー供給管路６５とを含んでいる。第１分岐エアー供給管路６２、第２分岐エアー供給管路６３、第３分岐エアー供給管路６４および第４分岐エアー供給管路６５はそれぞれ主エアー供給管路６１から分岐している。
【００４３】
主エアー供給管路６１は、コンプレッサー（不図示）による圧縮空気源としてのエアー元６０ａに接続されている。主エアー供給管路６１には、上流側から順に、手動の元弁６１ａおよび除菌フィルタ６１ｂ等が設けられている。
【００４４】
第１分岐エアー供給管路６２は第１エアタービンメインチューブ（媒体導管）２１を介して第１エアタービンハンドピース３１に接続されている。第１分岐エアー供給管路６２には、第１エアタービン駆動エアー電磁弁６２ａが設けられている。第１エアタービンメインチューブ２１は給気管路２０ｄを有している。第１エアタービンメインチューブ２１の給気管路２０ｄの一端（第１端）は、診療装置本体１０の第１メインチューブ着脱部１０ａ１において第１分岐エアー供給管路６２に接続されている。第１エアタービンメインチューブ２１の給気管路２０ｄの他端（第２端）は、第１エアタービンハンドピース３１に接続されエアタービンハンドピースヘッド（不図示）に設けたタービン（不図示）を回転させたり、別途不図示の射出口から噴射可能とされている。
【００４５】
第２分岐エアー供給管路６３は第２エアタービンメインチューブ（媒体導管）２２を介して第２エアタービンハンドピース３２に接続されている。第２分岐エアー供給管路６３には、第２エアタービン駆動エアー電磁弁６３ａが設けられている。第２エアタービンメインチューブ２２は給気管路２０ｄを有している。第２エアタービンメインチューブ２２の給気管路２０ｄの一端（第１端）は、診療装置本体１０の第２メインチューブ着脱部１０ａ２において第２分岐エアー供給管路６３に接続されている。第２エアタービンメインチューブ２２の給気管路２０ｄの他端（第２端）は、第２エアタービンハンドピース３２に接続され、エアタービンヘッド（不図示）に内蔵されたタービン（不図示）を回転させたり、別途不図示の噴射口から噴射可能とされている。
【００４６】
第３分岐エアー供給管路６４はマイクロモーターメインチューブ（媒体導管）２３を介してマイクロモーターハンドピース３３に接続されている。第３分岐エアー供給管路６４には、マイクロモータークーリングエア電磁弁６４ａが設けられている。マイクロモーターメインチューブ２３は給気管路２０ｄを有している。マイクロモーターメインチューブ２３の給気管路２０ｄの一端（第１端）は、診療装置本体１０の第３メインチューブ着脱部１０ａ３において第３分岐エアー供給管路６４に接続されている。マイクロモーターメインチューブ２３の給気管路２０ｄの他端（第２端）はマイクロモーターハンドピース３３に接続され、別途不図示の射出口から噴射可能とされている。
【００４７】
第４分岐エアー供給管路６５はスリーウェイシリンジメインチューブ（媒体導管）２４を介してスリーウェイシリンジ３４に接続されている。スリーウェイシリンジ３４は給気管路２０ｄを有している。スリーウェイシリンジメインチューブ２４の給気管路２０ｄの一端（第１端）は、診療装置本体１０の第４メインチューブ着脱部１０ａ４において第４分岐エアー供給管路６５に接続されている。スリーウェイシリンジメインチューブ２４の給気管路２０ｄの他端（第２端）はスリーウェイシリンジ３４に接続されている。
【００４８】
ハンドピース制御ブロック１０ｂは、第１エアタービン注水電磁弁５２ａ、第２エアタービン注水電磁弁５３ａ、マイクロモーター注水電磁弁５４ａ、第１エアタービン駆動エアー電磁弁６２ａ、第２エアタービン駆動エアー電磁弁６３ａ、マイクロモータークーリングエア電磁弁６４ａを含んでいる。
【００４９】
フートスイッチ（図示せず）の操作がなされると、第１エアタービンハンドピース３１および第２エアタービンハンドピース３２の少なくともいずれかのインスツルメントに対応する第１エアタービン駆動エアー電磁弁６２ａおよび第２エアタービン駆動エアー電磁弁６３ａが開閉し、第１エアタービンハンドピース３１および第２エアタービンハンドピース３２へタービン駆動エアーが供給され、エアタービンヘッド（不図示）に内蔵されたタービン（不図示）を回転させたり、別途不図示の噴射口から噴射可能とされる。
【００５０】
また、フートスイッチ（図示せず）の操作がなされると、マイクロモータークーリングエア電磁弁６４ａが開閉し、マイクロモーターハンドピース３３へクーリングエアが供給され別途不図示のマイクロモーターハンドピース３３の噴射口から噴射される。
【００５１】
第４分岐エアー供給管路６５には、上記のような電磁弁は設けられていない。スリーウェイシリンジ３４は、グリップ部３４ａにエアー用操作レバー（図示せず）を備えている。ドクターおよびアシスタントによるエアー用操作レバーの押圧操作によって先端ノズル部３４ｃからのエアーの噴出がなされる。エアー用操作レバーは、給水用操作レバー３４ｂと並設されている。ドクター及びアシスタントによってエアー用操作レバーおよび給水用操作レバー３４ｂが選択的に、あるいは、同時に押圧操作される。
【００５２】
主給水管路５１には、洗浄装置１１０が接続されている。洗浄装置１１０を薬液洗浄装置とする場合、薬液洗浄装置は、薬液ボトル１１０ａと、薬液ポンプ１１０ｂとを含んでいる。薬液ボトル１１０ａには、たとえば、過酸化水素水、次亜塩素酸ナトリウム等の薬液が充填されている。薬液ポンプ１１０ｂは、薬液ボトル１１０ａの薬液を適量ずつ主給水管路５１に供給するように構成されている。薬液ボトル１１０ａには薬液量検出部１１１が取り付けられている。薬液量検出部１１１は、薬液ボトル１１０ａの薬液量を検出可能なセンサである。
【００５３】
洗浄タンク１３０からの排水は、接続管路１４１を経て、排水部１４０に排水される。また、洗浄タンク１３０からの排水は、接続管路１５１を経て、バキュームタンク１５０に送られる。この排水によりバキュームタンク１５０を洗浄することができる。
【００５４】
制御部１６０は医療用装置１００の全体の制御を司るように構成されている。制御部１６０はたとえばＣＰＵ（セントラルプロセッシングユニット）である。制御部１６０には、洗浄装置１１０、薬液量検出部１１１、流量計１２０、駆動部１６１、表示部１６２、報知部１６３、管路洗浄スイッチ１６４、フラッシングスイッチ１６５、メインスイッチ１６６、水質監視用検出器１７０が接続されている。
【００５５】
駆動部１６１は、各インスツルメント等の電磁弁等を駆動させるためのものである。表示部１６２は、トレーテーブル５等に設置されており、診療等に関する各種情報が表示される。報知部１６３は、洗浄装置１１０の薬液ボトル内の薬液量が薬液量検出部１１１によって少なくなったことが検出された場合、および、その他の装置での異常を検知した場合等において、その旨の報知を行うべく機能する。
【００５６】
別の実施例として、診療装置本体１０は、上記の洗浄装置１１０としてマイクロバブル発生器を備えていても良いし、紫外線発生器を備えて管路内の滅菌を行っても良い。また、上記の実施例では、排水は、洗浄タンク１３０で貯留した上で排水しているが、洗浄タンク１３０の手前で排水管路７１、７５と、供給管路２０ｂとを図示しないポンプ及び三方電磁弁を介して接続して、このポンプを駆動させることで、管路内の水を循環させることも出来る。管路内の水を循環させる場合には、上記の薬液洗浄装置や紫外線発生器、マイクロバブル発生器等を使用して水を１〜５分程度の所定時間循環させた後に、上記三方電磁弁を介して上記洗浄タンク１３０に管路内の水を排水する構成とすることで、少ない水で管路内の水を効率良く洗浄することが出来る。
【００５７】
図５に示す管路洗浄スイッチ１６４、フラッシングスイッチ１６５およびメインスイッチ１６６は、診療装置本体１０のトレーテーブル５（図１参照）等にそれぞれ設けられている。管路洗浄スイッチ１６４は、給水管路の洗浄の際にドクターおよびアシスタント等によって操作される。フラッシングスイッチ１６５は医療用装置１００による診療に先立って、給水管路の洗浄の際にドクターおよびアシスタント等によって操作される。メインスイッチ１６６は医療用装置１００を起動する際にドクターおよびアシスタント等によって操作される。供給用開閉弁４０ａ、排出用開閉弁４０ｂは、診療装置本体１０のメインスイッチ１６６の作動に連動して作動するように構成されていてもよい。また、制御部１６０は、水質監視用検出器１７０の出力に応じて自動的に供給用開閉弁４０ａ、排出用開閉弁４０ｂを作動させるように駆動部１６１を制御してもよい。水質監視用検出器１７０の出力に応じてフラッシングも、実際の診療時間の前に１〜５分程度の所定時間行った後に完了するようにタイマーで自動で駆動制御されても良い。
【００５８】
続いて、図２、図６〜図８を参照して、診療用ハンドピース３０のフラッシング（洗浄）のために、診療装置本体１０に接続された媒体導管２０から診療用ハンドピース３０が取り外され、媒体導管２０に連結部材９０が取り付けられる場合について説明する。なお、図７および図８では、図が複雑になることを避けるために、第１エアタービンハンドピース３１および第２エアタービンハンドピース３２の排気管路２０ｆは省略されている。また、図７では、見やすくするため、媒体導管２０の外装２０ａは図示されていない。
【００５９】
図２を参照して、診療用ハンドピース３０の一端から、媒体導管２０の係合部２０Ｘが引き抜かれる。これにより、媒体導管２０から診療用ハンドピース３０が取り外される。図６を参照して、診療用ハンドピース３０が取り外された媒体導管２０の係合部２０Ｘが連結部材９０の一端から連結部材９０の内部に挿入される。このようにして、媒体導管２０に連結部材９０が取り付けられる。
【００６０】
図７を参照して、媒体導管２０に連結部材９０が取り付けられた状態について詳しく説明する。媒体導管２０の係合部２０Ｘは、突出部２０Ｘａと、継手部２０Ｘｂとを含んでいる。突出部２０Ｘａは、媒体導管２０の先端に配置されている。突出部２０Ｘａは、継手部２０Ｘｂから媒体導管２０の先端側に突出している。突出部２０Ｘａの外径は継手部２０Ｘｂの外径よりも小さくなっている。継手部２０Ｘｂは、供給管路２０ｂ、排出管路２０ｃおよび給気管路２０ｄの各々に接続されている。
【００６１】
突出部２０Ｘａは、第１突出部分２０Ｘａ１と、第２突出部分２０Ｘａ２と、第３突出部分２０Ｘａ３と、第４突出部分２０Ｘａ４と、第１環状溝２０Ｘａ１１と、第２環状溝２０Ｘａ１２と、第３環状溝２０Ｘａ１３とを含んでいる。
【００６２】
第１突出部分２０Ｘａ１、第２突出部分２０Ｘａ２、第３突出部分２０Ｘａ３および第４突出部分２０Ｘａ４は、継手部２０Ｘｂから媒体導管２０の先端側に順に配置されている。第１突出部分２０Ｘａ１、第２突出部分２０Ｘａ２、第３突出部分２０Ｘａ３および第４突出部分２０Ｘａ４は順に外径が小さくなっている。
【００６３】
第１突出部分２０Ｘａ１と、第２突出部分２０Ｘａ２との間に第１環状溝２０Ｘａ１１が配置されている。第２突出部分２０Ｘａ２と、第３突出部分２０Ｘａ３との間に第２環状溝２０Ｘａ１２が配置されている。第３突出部分２０Ｘａ３と、第４突出部分２０Ｘａ４との間に第３環状溝２０Ｘａ１３が配置されている。
【００６４】
第１突出部分２０Ｘａ１の外周面に設けられた環状溝に第１Ｏリング２０Ｙ１が外嵌されている。第２突出部分２０Ｘａ２の外周面に設けられた環状溝に第２Ｏリング２０Ｙ２が外嵌されている。第３突出部分２０Ｘａ３の外周面に設けられた環状溝に第３Ｏリング２０Ｙ３が外嵌されている。
【００６５】
係合部２０Ｘは、第１連通路２０Ｘｃ１と、第２連通路２０Ｘｃ２と、第３連通路２０Ｘｃ３とを有している。第１連通路２０Ｘｃ１は供給管路２０ｂに連通し、かつ第２環状溝２０Ｘａ１２に開口している。第２連通路２０Ｘｃ２は排出管路２０ｃに連通し、かつ第１環状溝２０Ｘａ１１に開口している。第３連通路２０Ｘｃ３は給気管路２０ｄに連通し、かつ第３環状溝２０Ｘａ１３に開口している。
【００６６】
連結部材９０は、筒状体の内壁に形成した連通路９０ａを備えている。連通路９０ａは供給管路２０ｂと排出管路２０ｃとを接続するように構成されている。また、連結部材９０は、本体部９０ｂと、凹部９０ｃとを備えている。凹部９０ｃは本体部９０ｂの内部に設けられている。凹部９０ｃは連結部材９０の一端から他端に向かって凹んでいる。凹部９０ｃは、連結部材９０の一端に位置する端面に開口している。凹部９０ｃは、第１凹部分９０ｃ１、第２凹部分９０ｃ２および第３凹部分９０ｃ３を含んでいる。なお、第２凹部分９０ｃ２の内径は第３凹部分９０ｃ３よりも大きくなっているが、第２凹部分９０ｃ２の内径は第３凹部分９０ｃ３よりも小さくなっていてもよい。
【００６７】
第１凹部分９０ｃ１に第１突出部分２０Ｘａ１が挿入されている。第１Ｏリング２０Ｙ１は第１凹部分９０ｃ１の内周面に接触して弾性変形している。第２凹部分９０ｃ２に第２突出部分２０Ｘａ２が挿入されている。また、第２凹部分９０ｃ２に第１環状溝２０Ｘａ１１および第２環状溝２０Ｘａ１２が配置されている。第２突出部分２０Ｘａ２および第２Ｏリング２０Ｙ２の外周は第２凹部分９０ｃ２の内周面に接触していない。これにより、供給管路２０ｂと排出管路２０ｃとが第２凹部分９０ｃ２の内部空間で接続され、連通することで、供給管路２０ｂから供給された水が排出管路２０ｃから排出される状態に出来る。第３凹部分９０ｃ３に第３突出部分２０Ｘａ３および第４突出部分２０Ｘａ４が挿入されている。第３Ｏリング２０Ｙ３は第３凹部分９０ｃ３の内周面に接触して弾性変形している。
【００６８】
連結部材９０の他端側に形成された底部９０ｄは、筒状体の他端側からの媒体の流出を防止しており、連結部材９０は全体として有底筒状体の形態を形成している。また、係合部２０Ｘは、媒体導管２０の係合部２０Ｘと連結部材９０とのスムーズな連結のために、係合部２０Ｘの第１突出部分２０Ｘａ１の外周部には周方向に複数のボールを径方向に移動自在に保持するボール保持リング部材２０Ｘｂａを配置すると共に、そのボール保持リング部材２０Ｘｂａの外周につる巻きばね２０Ｘｂ２を圧縮自在に設け、前記ボール保持リング部材２０Ｘｂａの外周に配置され前記つる巻きばね２０Ｘｂ２の弾力に抗してスライドリング２０Ｘｂ１を軸方向に移動すると共に、前記ボール保持リング部材２０Ｘｂａに保持されたボール２０Ｘｂ３と内周凸部２０Ｘｂ８が接し、かつ、スライドリング２０Ｘｂ１を軸方向に移動させた際に前記ボール２０Ｘｂ３が径方向外側に移動することで、連結部材９０の連結を解除するスライドリング２０Ｘｂ１を備える。ボール保持リング部材２０Ｘｂａ、ボール２０Ｘｂ３、スライドリング２０Ｘｂ１と連結部材９０とで急速継手を構成する。この急速継手によれば、スライドリング２０Ｘｂ１を軸方向にスライドさせるだけでワンタッチでの媒体導管２０の係合部２０Ｘと連結部材９０との着脱が可能である。
【００６９】
第２凹部分９０ｃ２において、第２突出部分２０Ｘａ２、第２Ｏリング２０Ｙ２、第１環状溝２０Ｘａ１１および第２環状溝２０Ｘａ１２の外側に環状の空間が設けられている。この空間を経由して第１連通路２０Ｘｃ１と第２連通路２０Ｘｃ２とが連通している。これにより、第１連通路２０Ｘｃ１に連通する供給管路２０ｂと第２連通路２０Ｘｃ２に連通する排出管路２０ｃとが接続されている。このように、この空間により連通路９０ａが構成されている。なお、この空間は、第１Ｏリング２０Ｙ１と第２Ｏリング２０Ｙ３とにより封止されている。図７において、連結部材９０は、先端に底部９０ｄを備え、給気管路２０ｄから供給される給気を凹部９０ｃで受容する構成であり、洗浄時に係合部２０Ｘの先端の第４突出部分２０Ｘａ４が露出し汚染したり、流体が漏れたりしないようにしている。この底部９０ｄは、図７に示す実施例においては必ずしも必要ではない。
【００７０】
なお、この実施例では、連通路９０ａを筒状体の内壁に形成したが、これに限らず管路で形成しても良い。
【００７１】
次に、図４〜図１０を参照して、本実施の形態に係る医療用装置１００の洗浄方法について説明する。この場合には、媒体は水である。
【００７２】
主に図８〜図１０を参照して、メインスイッチ１６６またはフラッシングスイッチ１６５がＯＮされる（スイッチＯＮ）と、スリーウェイシリンジ洗浄用の主管路フラッシングが行われる。まず、スリーウェイシリンジ洗浄用の主管路フラッシング電磁弁４０ｃがＯＮされる（開状態）（工程Ｓ１）。これにより、スリーウェイシリンジ洗浄用の主管路（排水管路）は開となる。続いて、給水用電磁弁５１ｂがＯＮされて開となると、ウォーマータンク５１ｄ、ハンドピース制御ブロック（ＨＰブロック）１０ｂ、スリーウェイシリンジメインチューブ（ＷＳメインチューブ）２４の順に供給管路に水が流される。これにより、順次、スリーウェイシリンジ洗浄用の主管路より残水が排出され、新しい水への入替が実施される。以降、各診療用ハンドピース管路フラッシングが実施される。続いて、主管路フラッシング電磁弁４０ｃがＯＦＦされる（閉状態）。これにより、管路は閉となる（閉状態）。
【００７３】
次に、スリーウェイシリンジ以外の各診療用ハンドピース（ＨＰ）管路フラッシングが行われる。
【００７４】
まず、第１エアタービンハンドピース管路フラッシングが行われる（工程Ｓ２）。第１エアタービンハンドピース３１が連結部材９０に交換される。その後、第１エアタービン注水電磁弁５２ａ（４０ａ）がＯＮ（開状態）される。これにより、管路は開となる。続いて、メインチューブフラッシング電磁弁４０ｂがＯＮされる。この状態で管路は開となる。したがって、水は、主給水管路５１、第１分岐給水管路５２、第１エアタービンメインチューブ２１の供給管路２０ｂ、連結部材９０の連通路９０ａ、排出管路２０ｃ、第１分岐排水管路７２、第１主排水管路７１の順に管路内を流れてから洗浄タンク１３０に排水される。これにより、これらの管路内が水道水で洗浄される。このため、第１エアタービンメインチューブ２１の供給管路２０ｂが洗浄される。続いて、管路の洗浄に必要な所定時間経過後に第１エアタービン注水電磁弁５２ａがＯＦＦされる。これにより、管路は閉となる。
【００７５】
次に、第２エアタービンハンドピース管路フラッシングが行われる（工程Ｓ３）。第２エアタービンハンドピース３２が連結部材９０に交換される。その後、第２エアタービン注水電磁弁５３ａがＯＮされる。これにより、管路は開となる。したがって、水は、主給水管路５１、第２分岐給水管路５３、第２エアタービンメインチューブ２２の供給管路２０ｂ、連結部材９０の連通路９０ａ、排出管路２０ｃ、第２分岐排水管路７３、第１主排水管路７１の順に管路内を流れてから洗浄タンク１３０に排水される。これにより、これらの管路内が洗浄される。このため、第２エアタービンメインチューブ２２の供給管路２０ｂが洗浄される。続いて、管路の洗浄に必要な所定時間経過後に第２エアタービン注水電磁弁５３ａがＯＦＦされる。これにより、管路は閉となる。
【００７６】
続いて、マイクロモーターハンドピース管路フラッシングが行われる（工程Ｓ４）。マイクロモータ―ハンドピース３３が連結部材９０に交換される。その後、マイクロモーター注水電磁弁５４ａがＯＮされる。これにより、管路は開となる。したがって、水は、主給水管路５１、第３分岐給水管路５４、マイクロモーターメインチューブ２３の供給管路２０ｂ、排出管路２０ｃ、連結部材９０の連通路９０ａ、第３分岐排水管路７４、第１主排水管路７１の順に管路内を流れてから洗浄タンク１３０に排水される。これにより、これらの管路内が洗浄される。このため、マイクロモーターハンドピース３３の供給管路２０ｂが洗浄される。続いて、管路の洗浄に必要な所定時間経過後にマイクロモーター注水電磁弁５４ａがＯＦＦされる。これにより、管路は閉となる。続いて、メインチューブフラッシング電磁弁４０ｂはＯＦＦされる。これにより、管路は閉となる。以上で各診療用ハンドピース管路フラッシングが終了する。各診療用ハンドピースは流量の大きい管路から順次洗浄される。これにより、限られた容量の供給管路内でスピーディーに管路内に水を流すことができる。よって、少ない水量で効率よく媒体導管内部を洗浄することができる。このフラッシング動作は１〜５分程度の所定時間行うことで、管路内が水道水の塩素で殺菌洗浄されるので飲用しても問題ないものとなる。また、上記の例では、スリーウェイシリンジ３４において、媒体導管２０で供給管路２０ｂから分岐部を介して排出管路２０ｃに接続される管路構成を取ったが、これに限られずにマイクロモータハンドピース３３と同様に媒体導管２０に独立した供給管路２０ｂと排出管路２０ｃを設けて、連結部材９０で連通させることで排出する構成を取っても良い。なお、図１０においては、連結部材９０の交換を工程ごとに行っているが、始めにまとめて交換しておいても良い。上記では、メインチューブフラッシング電磁弁４０ｃは工程Ｓ２でＯＮされ工程Ｓ４でＯＦＦされているが、工程Ｓ２〜工程Ｓ４毎にＯＮおよびＯＦＦされてもよい。
【００７７】
なお、この動作はメインスイッチ１６６がＯＮされた後に毎朝の診療時刻の所定時間前に自動スタートしてもよい。また、この動作は塩素濃度低下時などに自動スタートしてもよい。また、この動作は診療前の設定した時刻にタイマーで自動スタートしてもよい。
【００７８】
さらに、水質監視用検出器１７０の出力に応じて自動的に供給用開閉弁４０ａおよび排出用開閉弁４０ｂが作動してもよい。これにより、水質が悪化した際に、自動的に洗浄することが可能である。なお、メインチューブフラッシング電磁弁４０ｂは、診療時は常時ＯＦＦ（閉状態）とされ、ＯＮになった時のみ開となる。
【００７９】
また、図１１を参照して、洗浄装置１１０から主給水管路５１に洗浄剤管路を経由して管路洗浄剤（薬液）が充填されてもよい。洗浄剤管路が開かれると、主管路に洗浄剤が充填される（工程Ｓ１１）。すなわち、洗浄剤が充填された水により、主管路フラッシング（工程Ｓ１）、第１エアタービンハンドピース管路フラッシング（工程Ｓ２）、第２エアタービンハンドピース管路フラッシング（工程Ｓ３）、マイクロモーターハンドピース管路フラッシングが順次行われる（工程Ｓ４）。各診療用ハンドピース管路フラッシングが終了すると、続いて、洗浄剤管路が閉じられ、水管路に切り替えられる（工程Ｓ１２）。以降、自動フラッシング機能により水の入換えが行われる。なお、図１１においても、連結部材９０の交換を工程ごとに行っているが、始めにまとめて交換しておいても良い。
【００８０】
この発明が特許文献１の先行技術と根本的に異なる点は、管路内の薬液洗浄を行った後に水道水で管路内を洗浄し直すことである。このように水道水を薬液と置き換えることで、管路内に残留した薬液についてもその影響を排除できる。
【００８１】
続いて、図１２〜図１４を参照して、本実施の形態の変形例１について説明する。なお、本実施の形態の変形例１は、特に言及しない限り、上記の本実施の形態と同じ構成を有しており、同じ構成については同じ符号を付し、その説明を繰り返さない。なお、図１２では、図が複雑になることを避けるために、第１エアタービンハンドピース３１および第２エアタービンハンドピース３２の排気管路２０ｆは省略されている。また、図１３では、見やすくするため、媒体導管２０の外装２０ａは図示されていない。
【００８２】
本実施の形態の変形例１では、水は供給管路２０ｂから給気管路２０ｄを経由して排水される。つまり、本実施の形態の変形例１においては、排出管路２０ｃは、診療装置本体１０から診療用ハンドピース３０にエアーを給気する給気管路２０ｄである。
【００８３】
図１２を参照して、第１エアタービンメインチューブ２１の給気管路２０ｄは第１排出管路８１に接続されている。第１排出管路８１には第１排出管路電磁弁４０ｂ１（排出用開閉弁４０ｂ）が設けられている。第１排出管路８１は洗浄タンク１３０に接続されている。
【００８４】
第２エアタービンメインチューブ２２の給気管路２０ｄは第２排出管路８２に接続されている。第２排出管路８２には第２排出管路電磁弁４０ｂ２（排出用開閉弁４０ｂ）が設けられている。第２排出管路８２は洗浄タンク１３０に接続されている。
【００８５】
マイクロモーターメインチューブ２３の給気管路２０ｄは第３排出管路８３に接続されている。第３排出管路８３には第３排出管路電磁弁４０ｂ３（排出用開閉弁４０ｂ）が設けられている。第３排出管路８３は洗浄タンク１３０に接続されている。
【００８６】
スリーウェイシリンジ３４の供給管路２０ｂと給気管路２０ｄとは給気バイパス管路２０ｅにより接続されている。給気バイパス管路２０ｅには給気バイパス管路電磁弁５５ｃが設けられている。洗浄時には、給気バイパス管路電磁弁５５ｃを開としてスリーウェイシリンジ３４の供給管路２０ｂから給気バイパス管路２０ｅを通って給気管路２０ｄに水を流すことができる。スリーウェイシリンジ３４の給気管路２０ｄは第４排出管路８４に接続されている。第４排出管路８４には主管路フラッシング電磁弁４０ｃが設けられている。第４排出管路８４は洗浄タンク１３０に接続されている。
【００８７】
なお、スリーウェイシリンジ３４においては、給気バイパス管路２０ｅと給気バイパス管路電磁弁５５ｃを使用し、給気管路２０ｄを排出管路として使用する構成としたが、図１４に示すようにスリーウェイシリンジ３４を外して連通路９０ａを有する連結部材９０を使用して給気管路２０ｄを排出管路として使用する構成としても良い。
【００８８】
次に、図１３を参照して、本実施の形態の変形例１において、媒体導管２０に連結部材９０が取り付けられた状態について説明する。一例として第１エアタービンメインチューブ２１に連結部材９０が取り付けられた構成について説明する。この実施例においては、連結部材９０は、底部９０ｄを有する筒状体から構成されている。
【００８９】
連結部材９０が媒体導管２０の係合部２０Ｘと接続される開口側から第１凹部分９０ｃ１、第２凹部分９０ｃ２および第３凹部分９０ｃ３は順に内径が小さくなっている。第１凹部分９０ｃ１に第１突出部分２０Ｘａ１が挿入されている。第１Ｏリング２０Ｙ１は第１凹部分９０ｃ１の内周面に接触して弾性変形している。第２凹部分９０ｃ２に第２突出部分２０Ｘａ２および第３突出部分２０Ｘａ３が挿入されている。また、第２凹部分９０ｃ２に第２環状溝２０Ｘａ１２および第３環状溝２０Ｘａ１３が配置されている。第２Ｏリング２０Ｙ２は第２凹部分９０ｃ２の内周面に接触して弾性変形している。第３突出部分２０Ｘａ３および第３Ｏリング２０Ｙ３は第２凹部分９０ｃ２の内周面に接触していない。第３凹部分９０ｃ３に第４突出部分２０Ｘａ４が挿入されている。
【００９０】
第２凹部分９０ｃ２において、第２凹部分９０ｃ２の内径が第３Ｏリング２０Ｙ３の外径よりもわずかに大きく形成されることで、第２凹部分９０ｃ２の内径と第３Ｏリング２０Ｙ３との間に環状の空間による連通路９０ａが形成され、係合部２０Ｘに形成される水供給管路（第１連通路）２０Ｘｃ１と給気管路（第３連通路）２０Ｘｃ３が、この連通路９０ａを経由して接続される。これにより、水供給管路（第１連通路）２０Ｘｃ１に連通する供給管路２０ｂと給気管路（第３連通路）２０Ｘｃ３に連通する給気管路２０ｄとが接続されている。なお、この空間は、第３凹部分９０ｃ３と連通しており、第２Ｏリング２０Ｙ２により封止されている。
【００９１】
連結部材９０の他端側に形成された底部９０ｄは、筒状体の他端側からの媒体の流出を防止しており、連結部材９０は全体として有底筒状体の形態を形成している。
【００９２】
また、この図１３に示す例では、媒体導管２０の係合部２０Ｘと連結部材９０の連結機構として、図７で示した急速継手の代わりにネジによる連結機構を採用している。
【００９３】
係合部２０Ｘの継手部２０Ｘｂの先端部には内周にネジ２０Ｘｂ４が形成される。また、連結部材９０の係合部２０Ｘ側外周部には前記ネジ２０Ｘｂ４にかみ合うネジ９０ｅが設けられ、連結部材９０を係合部２０Ｘに対して回転させることで、前記のネジ結合が解除されたり、結合状態を維持したりする。
【００９４】
次に、図１４を参照して、本実施の形態の変形例１に係る医療用装置１００の洗浄方法について説明する。この例では、給気管路を利用して排水する構成である。
【００９５】
開閉弁５１ｂが閉じられている間にスリーウェイシリンジ３４は連結部材９０に交換される。その後、排出管路電磁弁４０ｃがＯＮされ開とされ、開閉弁５１ｂをＯＮして開とすることで、スリーウェイシリンジ洗浄用の主管路フラッシングが行われる。これにより、ウォーマータンク５１ｄ、ハンドピース制御ブロック（ＨＰブロック）１０ｂ、スリーウェイシリンジメインチューブ（ＷＳメインチューブ）２４の順に供給管路に水が流される。これにより、順次、スリーウェイシリンジ洗浄用の主管路５１より残水が洗浄タンク１３０に排出され、新しい水への入替が実施される。なお、スリーウェイシリンジ３４で給気管路を使用して排水する場合、給気管路（第４分岐エアー供給管路）６５に洗浄時に給気を止める為に開閉電磁弁５５ａを設けている。なお、図１４では、スリーウェイシリンジ３４の注水管路（供給管路）２０ｂの洗浄に連通路９０ａを有する連結部材９０を使用したが、図１２に示すように給気バイパス管路２０ｅと給気バイパス管路電磁弁５５ｃを使用し、給気管路２０ｄを排出管路として使用する構成としても良い。
【００９６】
第１エアタービンハンドピース３１が連結部材９０に交換される。その後、第１エアタービン注水電磁弁５２ａ（４０ａ）がＯＮ（開状態）される。続いて、第１排出管路電磁弁４０ｂ１（排出用開閉弁４０ｂ）がＯＮされる。したがって、水は、主給水管路５１、第１分岐給水管路５２、第１エアタービンメインチューブ２１の供給管路２０ｂ、連結部材９０の連通路９０ａ、給気管路２０ｄ、第１排出管路８１の順に管路内を流れてから洗浄タンク１３０に排水される。これにより、これらの管路内が水道水で洗浄される。このため、第１エアタービンメインチューブ２１の供給管路２０ｂが洗浄される。
【００９７】
第２エアタービンハンドピース３２が連結部材９０に交換される。その後、第２エアタービン注水電磁弁５３ａ（４０ａ）がＯＮ（開状態）される。続いて、第２排出管路電磁弁４０ｂ２（排出用開閉弁４０ｂ）がＯＮされる。したがって、水は、主給水管路５１、第２分岐給水管路５３、第２エアタービンメインチューブ２２の供給管路２０ｂ、連結部材９０の連通路９０ａ、給気管路２０ｄ、第２排出管路８２の順に管路内を流れてから洗浄タンク１３０に排水される。これにより、これらの管路内が水道水で洗浄される。このため、第２エアタービンメインチューブ２２の供給管路２０ｂが洗浄される。
【００９８】
マイクロモーターハンドピース３３が連結部材９０に交換される。その後、マイクロモーター注水電磁弁５４ａ（４０ａ）がＯＮ（開状態）される。続いて、第３排出管路電磁弁４０ｂ３（排出用開閉弁４０ｂ）がＯＮされる。したがって、水は、主給水管路５１、第３分岐給水管路５４、マイクロモーターメインチューブ２２の供給管路２０ｂ、連結部材９０の連通路９０ａ、給気管路２０ｄ、第３排出管路８３の順に管路内を流れてから洗浄タンク１３０に排水される。これにより、これらの管路内が水道水で所定時間洗浄される。このため、マイクロモーターメインチューブ２３の供給管路２０ｂが洗浄される。
【００９９】
この変形例１では、媒体導管２０に排水管路を設ける必要が無いので、媒体導管２０が太くなったり、柔軟性を損なうことがない上にコストが削減できる。
【０１００】
続いて、図１５〜図１７を参照態の変形例２について説明する。なお、本実施の形態の変形例２は、特に言及しない限り、上記の本実施の形態および変形例１と同じ構成を有しており、同じ構成については同じ符号を付し、その説明を繰り返さない。なお、図１６、見やすくするため、外装２０ａは図示されていない。
【０１０１】
本実施の形態の変形例２では、媒体は供給管路２０ｂから排気管路２０ｆを経由して排出される。つまり、本実施の形態の変形例２においては、排出管路２０ｃは、診療用ハンドピース３０から診療装置本体１０にエアーを排気する排気管路２０ｆである。
【０１０２】
図１５を参照して、第１エアタービンメインチューブ２１は排気管路２０ｆを含んでいる。第１エアタービンメインチューブ２１の排気管路２０ｆの一端（第１端）は、第１メインチューブ着脱部１０ａ１において第１排出管路８１に接続されている。第１エアタービンメインチューブ２１の排気管路２０ｆの他端（第２端）は第１エアタービンハンドピース３１に接続されている。
【０１０３】
第２エアタービンメインチューブ２２は排気管路２０ｆを含んでいる。第２エアタービンメインチューブ２２の排気管路２０ｆの一端（第１端）は、第２メインチューブ着脱部１０ａ２において第２排出管路８２に接続されている。第２エアタービンメインチューブ２２の排気管路２０ｆの他端（第２端）は第２エアタービンハンドピース３２に接続されている。
【０１０４】
また、第１エアタービンハンドピース３１の排出管路２０ｃ及び第２エアタービンハンドピース３２の排出管路２０ｃは、それぞれ開閉弁１８１及び１８２を介して集油ケース１８０に潤滑油を回収する構成となっている。
【０１０５】
この変形例２においても、媒体導管２０に排水管路を設ける必要が無いので、媒体導管２０が太くなったり、柔軟性を損なうことがない上にコストが削減できる。
【０１０６】
次に、図１６を参照して、本実施の形態の変形例２において、媒体導管２０に連結部材９０が取り付けられた状態について説明する。一例として第１エアタービンメインチューブ２１に連結部材９０が取り付けられた構成について説明する。
【０１０７】
第２凹部分９０ｃ２において、第２突出部分２０Ｘａ２、第２Ｏリング２０Ｙ２、第１環状溝２０Ｘａ１１および第２環状溝２０Ｘａ１２の外側に環状の空間が設けられている。第２凹部分９０ｃ２の内径が第２Ｏリング２０Ｙ２の外径よりもわずかに大きく形成されることで、第２凹部分９０ｃ２の内径と第２Ｏリング２０Ｙ２との間に環状の空間による連通路９０ａが形成され、係合部２０Ｘに形成される水供給管路（第１連通路）２０Ｘｃ１と排気管路（第２連通路）２０Ｘｃ２が、この連通路９０ａを経由して接続される。このように、この空間により連通路９０ａが構成されている。なお、この空間は、第１Ｏリング２０Ｙ１と第２Ｏリング２０Ｙ３とにより封止されている。また、この実施例に於いても連結部材９０の他端側に形成された底部９０ｄは、筒状体の他端側からの媒体の流出を防止しており、連結部材９０は全体として有底筒状体の形態を形成している。
【０１０８】
また、図１６に示す例では、媒体導管２０と連結部材９０の連結機構が、図７に示す急速継手や、図１３で示したネジ結合に代わって、Ｃリングを用いた連結機構を採用している。具体的には、突出部２０Ｘａの外周に周溝２０Ｘｂ６が形成され、その溝には第１突出部分２０Ｘａ１の外径よりわずかに大きい外径のＣリング２０Ｘｂ７が装嵌され、相対する連結部材９０の第１凹部分９０ｃ１の内周には前記Ｃリング２０Ｘｂ７の外周部が嵌合する周溝２０Ｘｂ５が形成され、前記Ｃリング２０Ｘｂ７の断面が外周に向けて凸となる山形を形成しており、前記Ｃリング２０Ｘｂ７が前記連結部材９０の第１凹部分９０ｃ１に嵌った状態では、前記Ｃリング２０Ｘｂ７は、弾性リングで構成されておりＣリング２０Ｘｂ７の外径が第１凹部分９０ｃ１の内径よりも少しだけ大きく、前記突出部２０Ｘａの周溝２０Ｘｂ６の内径の方が大きく、連結時には、前記Ｃリング２０Ｘｂ７の弾力に抗して径を変化させて、連結する周知のＣリングによる連結機構を採用している。また、この例では、第１Ｏリング２０Ｙ１によって媒体の連結部位からの流出を防止している。なお、このＣリングを第１突出部分２０Ｘａ１の外周部に装着する代わりに連結部材９０の内周に形成した溝に装着する構成でも良い。また、連結部材９０の連結機構は、上記のＣリング以外に図７で採用した急速継出による連結や図１３に示したネジによる連結機構を用いても良い。
【０１０９】
次に、図１７を参照して、本実施の形態の変形例２に係る医療用装置１００の洗浄方法について説明する。
【０１１０】
第１エアタービンハンドピース３１が連結部材９０に交換される。その後、第１エアタービン注水電磁弁５２ａ（４０ａ）がＯＮ（開状態）される。続いて、第１排出管路電磁弁４０ｂ１（排出用開閉弁４０ｂ）がＯＮされる。したがって、水は、主給水管路５１、第１分岐給水管路５２、第１エアタービンメインチューブ２１の供給管路２０ｂ、連結部材９０の連通路９０ａ、排気管路２０ｆ、第１排出管路８１の順に管路内を流れてから洗浄タンク１３０に排水される。これにより、これらの管路内が水道水で洗浄される。このため、第１エアタービンメインチューブ２１の供給管路２０ｂが洗浄される。
【０１１１】
第２エアタービンハンドピース３２が連結部材９０に交換される。その後、第２エアタービン注水電磁弁５３ａ（４０ａ）がＯＮ（開状態）される。続いて、第２排出管路電磁弁４０ｂ２（排出用開閉弁４０ｂ）がＯＮされる。したがって、水は、主給水管路５１、第２分岐給水管路５３、第２エアタービンメインチューブ２２の供給管路２０ｂ、連結部材９０の連通路９０ａ、排気管路２０ｆ、第２排出管路８２の順に管路内を流れてから洗浄タンク１３０に排水される。これにより、これらの管路内が水道水で洗浄される。このため、第２エアタービンメインチューブ２２の供給管路２０ｂが洗浄される。
【０１１２】
続いて、図１８を参照して、本実施の形態の変形例３について説明する。なお、本実施の形態の変形例３は、特に言及しない限り、上記の本実施の形態と同じ構成を有しており、同じ構成については同じ符号を付し、その説明を繰り返さない。
【０１１３】
本実施の形態の変形例３では、連結部材９０は、第１エアタービンメインチューブ（第１の媒体導管）２１と第２エアタービンメインチューブ（第２の媒体導管）２２とを接続している。連結部材９０の連通路９０ａは、第１および第２の連通路９０ａを有している。第１の連通路９０ａにより第１エアタービンメインチューブ２１の供給管路２０ｂは第１エアタービンメインチューブ２１の排出管路２０ｃに接続されており、かつ第２の連通路９０ａにより第２エアタービンメインチューブ２２の供給管路２０ｂは第２エアタービンメインチューブ２２の排出管路２０ｃに接続されている。
【０１１４】
第１エアタービンハンドピース３１および第２エアタービンハンドピース３２が連結部材９０に交換される。その後、第１エアタービン注水電磁弁５２ａ（４０ａ）および第２エアタービン注水電磁弁５３ａ（４０ａ）がＯＮ（開状態）される。続いて、排出用開閉弁４０ｂがＯＮされる。したがって、水は、主給水管路５１、第１分岐給水管路５２および第２分岐給水管路５３、第１エアタービンメインチューブ２１および第２エアタービンメインチューブ２２の供給管路２０ｂ、連結部材９０の第１および第２の連通路９０ａ、第１エアタービンメインチューブ２１および第２エアタービンメインチューブ２２の排出管路２０ｃ、第１分岐排水管路７２および第２分岐排水管路７３、第１主排水管路７１の順に管路内を流れてから洗浄タンク１３０に排水される。これにより、これらの管路内が水道水で洗浄される。このため、第１エアタービンメインチューブ２１および第２エアタービンメインチューブ２２の供給管路２０ｂが洗浄される。このように図１８に示す実施例では、連結部材９０が第１エアタービンハンドピース３１および第２エアタービンハンドピース３２用の連通路９０ａをそれぞれ設けて連結した構成とされている。
【０１１５】
また、本発明で言う「水」とは、「水道水」を言い、水道水によるフラッシング時間は、通常は１〜５分程度の時間に渡って管路内に水道水を流して洗浄するものであるが、医療用装置に医療用装置の不使用時間を計測する時計を備えておいて、この時計が測定した不使用時間が長ければ、水道水によるフラッシング時間を５分よりも長く設定して管路内の雑菌を確実に死滅させるように洗浄しても良い。このように医療用装置の不使用時間の長さに応じてフラッシング時間の長さを決めるようにしても良い。なお、上記時計は、メインスイッチのＯＮ／ＯＦＦに連動して計測しても良いし、診療用ハンドピースのハンドピースホルダーからの取上げ又は、フートコントローラの操作などの信号に連動して計測し、別途に設けた記憶手段に医療用装置の使用及び不使用時間を記憶するようにしても良い。
【０１１６】
次に、本実施の形態の作用効果について説明する。
本実施の形態の医療用装置１００によれば、連結部材９０は、供給管路２０ｂと排出管路２０ｃとを接続する連通路９０ａを含んでいるため、供給管路２０ｂから連通路９０ａを経由して排出管路２０ｃに媒体を流すことができる。これにより供給管路２０ｂを洗浄することができるため、供給管路２０ｂの洗浄を簡素化することができる。また、連結部材９０は媒体導管２０に接続されているため、供給管路２０ｂを全長に渡って洗浄することができる。
【０１１７】
本実施の形態の医療用装置１００によれば、好ましくは、供給管路２０ｂは、診療装置本体１０から診療用ハンドピース３０に水を供給する給水管路である。このため、減菌剤等を使用したり、減菌装置を必須とすることなく、単に管路に水道水を流すだけで、水道水に含まれる塩素によって管路が殺菌されるので、媒体導管内部での雑菌の繁殖を抑制することができる。
【０１１８】
本実施の形態の医療用装置１００によれば、好ましくは、排出管路２０ｃは、媒体導管２０から診療装置本体１０に水を排出する排水管路である。このため、排水管路から水を排水することができる。
【０１１９】
本実施の形態の医療用装置１００は、好ましくは、洗浄タンク１３０に貯留された水が、バキュームタンク１５０に流れるように構成されている。このため、洗浄タンク１３０に貯留された水によりバキュームタンク１５０を洗浄することができる。したがって、水を有効に使用することができる。
【０１２０】
本実施の形態の医療用装置１００の変形例１によれば、連結部材９０は、供給管路２０ｂと給気管路２０ｄとを接続する連通路９０ａを含んでいるため、供給管路２０ｂから連通路９０ａを経由して給気管路２０ｄに媒体を流すことができる。このため、給気管路２０ｄを排出管路２０ｃとして利用することができる。したがって、供給管路２０ｂから給気管路２０ｄに媒体を流して、供給管路２０ｂを洗浄することができる。そのため、診療用ハンドピース３０に既に存在している給気管路２０ｄを排出管路２０ｃとして兼用することができる。つまり、特別な戻り管路を設ける必要がない。よって、管路数が増えないため媒体導管２０の柔軟性が損なわれることを抑制できる。さらに、コストの増加を抑制することもできる。また、媒体を流すことにより給気管路２０ｄを洗浄することができる。
【０１２１】
本実施の形態の医療用装置１００の変形例２によれば、連結部材９０は、供給管路２０ｂと排気管路２０ｆとを接続する連通路９０ａを含んでいるため、供給管路２０ｂから連通路９０ａを経由して排気管路２０ｆに媒体を流すことができる。このため、排気管路２０ｆを排出管路２０ｃとして利用することができる。したがって、供給管路２０ｂから排気管路２０ｆに媒体を流して、供給管路２０ｂを洗浄することができる。そのため、診療用ハンドピース３０に既に存在している排気管路２０ｆを排出管路２０ｃとして兼用することができる。つまり、特別な戻り管路を設ける必要がない。よって、管路数が増えないため媒体導管２０の柔軟性が損なわれることを抑制できる。さらに、コストの増加を抑制することもできる。また、水を流すことにより排気管路２０ｆを洗浄することができる。
【０１２２】
本実施の形態の医療用装置１００の変形例３によれば、連結部材９０は、第１の媒体導管２１の供給管路２０ｂと排出管路２０ｃとを接続する第１の連通路９０ａと、第２の媒体導管２２の供給管路２０ｂと排出管路２０ｃとを接続する第２の連通路９０ａを含んでいるため、連結部材９０により第１の媒体導管２１および第２の媒体導管２２の各々の供給管路２０ｂから各々の排出管路２０ｃにそれぞれ媒体を流すことができる。したがって、第１の媒体導管２１および第２の媒体導管２２の各々の供給管路２０ｂを洗浄することができる。
【０１２３】
本実施の形態の媒体導管セットによれば、連結部材９０は、供給管路２０ｂと排出管路２０ｃとを接続する連通路９０ａを含んでいるため、供給管路２０ｂから連通路９０ａを経由して排出管路２０ｃに媒体を流すことができる。これにより供給管路２０ｂを洗浄することができるため、供給管路２０ｂの洗浄を簡素化することができる。
【０１２４】
本実施の形態の連結部材９０によれば、連結部材９０は、供給管路２０ｂと排出管路２０ｃとを接続する連通路９０ａを含んでいるため、供給管路２０ｂから連通路９０ａを経由して排出管路２０ｃに媒体を流すことができる。これにより供給管路２０ｂを洗浄することができるため、供給管路２０ｂの洗浄を簡素化することができる。
【０１２５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２６】
１  診療台、２  スピットン、３  照明装置、４  照明装置用アーム、５  トレーテーブル、６  トレーテーブル用アーム、１０  診療装置本体、１０ｂ  ハンドピース制御ブロック、２０  媒体導管、２０ａ  外装、２０ｂ  供給管路、２０ｃ  排出管路、２０ｄ  給気管路、２０ｅ  給気バイパス管路、２０ｆ  排気管路、２１  第１エアタービンメインチューブ、２２  第２エアタービンメインチューブ、２３  マイクロモーターメインチューブ、２４  スリーウェイシリンジメインチューブ、３０  診療用ハンドピース、３１  第１エアタービンハンドピース、３２  第２エアタービンハンドピース、３３  マイクロモーターハンドピース、３４  スリーウェイシリンジ、４０ａ  供給用開閉弁、４０ｂ  メインチューブフラッシング電磁弁、４０ｃ  主管路フラッシング電磁弁、５０  給水用管路、５１  主給水管路、５２  第１分岐給水管路、５２ａ  第１エアタービン注水電磁弁、５３  第２分岐給水管路、５３ａ  第２エアタービン注水電磁弁、５４  第３分岐給水管路、５４ａ  マイクロモーター注水電磁弁、５５  第４分岐給水管路、５６  第５分岐給水管路、６０  エアー供給管路、７０  排水用管路、７１  第１主排水管路、７２  第１分岐排水管路、７３  第２分岐排水管路、７４  第３分岐排水管路、７５  第２主排水管路、８１  第１排出管路、８２  第２排出管路、８３  第３排出管路、８４  第４排出管路、９０  連結部材、９０ａ  連通路、１００  医療用装置、１１０  薬液洗浄装置、１１１  薬液量検出部、１２０  流量計、１３０  洗浄タンク、１４０  排水部、１５０  バキュームタンク、１６０  制御部、１７０  水質監視用検出器。
【図１】
2018000737.tif 000003
【図２】
2018000737.tif 000004
【図３】
2018000737.tif 000005
【図４】
2018000737.tif 000006
【図５】
2018000737.tif 000007
【図６】
2018000737.tif 000008
【図７】
2018000737.tif 000009
【図８】
2018000737.tif 000010
【図９】
2018000737.tif 000011
【図１０】
2018000737.tif 000012
【図１１】
2018000737.tif 000013
【図１２】
2018000737.tif 000014
【図１３】
2018000737.tif 000015
【図１４】
2018000737.tif 000016
【図１５】
2018000737.tif 000017
【図１６】
2018000737.tif 000018
【図１７】
2018000737.tif 000019
【図１８】
2018000737.tif 000020